(57)【要約】【課題】  接続する外部表示装置の種類に応じて、この種類毎にそれぞれ応じた好適な表示形式で、自動的に、ファイル確認・選択用の画面を表示することで、ユーザーにとって使い勝手に優れた映像再生装置を提供すること。【解決手段】  ２つ以上の外部出力手段のそれぞれについて接続検出手段を設け、接続検出手段の検出結果に応じて、映像データの管理情報の表示形式（サムネイル画面におけるサムネイル画像（縮小画像）の配置フォーマット）を、複数の表示形式の中から自動的に選択する。【選択図】      図１
2005311776.tif 000002
【特許請求の範囲】
【請求項１】
記録媒体から再生した映像信号および／または管理情報表示信号を内蔵表示装置および／または外部表示装置に出力するための映像処理手段と、前記外部表示装置に出力するための２つ以上の外部出力手段と、前記記録媒体に記録されている映像データの管理情報を所定の表示形式の前記管理情報表示信号として前記映像処理手段に生成させるための管理情報表示選択手段とを、備えた映像再生装置において、
前記２つ以上の外部出力手段のそれぞれについて接続検出手段を設け、
前記管理情報表示選択手段は、前記した所定の表示形式として複数の表示形式を備えており、前記接続検出手段の検出結果に応じて、前記管理情報の表示形式を前記複数の表示形式の中から選択することを特徴とする映像再生装置。
【請求項２】
記録媒体から再生した映像信号および／または管理情報表示信号を内蔵表示装置および／または外部表示装置に出力するための２種類以上の映像フォーマットを扱う映像処理手段と、前記記録媒体に記録されている映像データの管理情報を所定の表示形式の前記管理情報表示信号として前記映像処理手段に生成させるための管理情報表示選択手段とを、備えた映像再生装置において、
外部出力手段から出力する映像信号の映像フォーマットを検出するとともに、前記外部出力手段の接続を検出するための出力フォーマット検出手段を設け、
前記管理情報表示選択制御手段は、前記した所定の表示形式として複数の表示形式を備えており、前記出力フォーマット検出手段にて検出された接続状態および前記映像フォーマットに応じて、前記管理情報の表示形式を前記複数の表示形式の中から選択することを特徴とする映像再生装置。
【請求項３】
請求項１または２に記載の映像再生装置において、
前記した所定の表示形式は、個々のファイルに応じた映像データ管理情報を表示するための単位表示情報を複数並べて一覧表示する、ファイル確認・選択用画面の表示形式であることを特徴とする映像再生装置。
【請求項４】
請求項３に記載の映像再生装置において、
前記した所定の表示形式は、複数の縮小画像の一覧表示であるサムネイル画面の表示形式であることを特徴とする映像再生装置。
【請求項５】
請求項３に記載の映像再生装置において、
前記した所定の表示形式として備えられた複数の表示形式から、前記した２つ以上の外部出力手段にそれぞれ対応する表示形式をユーザーが選択設定可能、または、前記した２種類以上の映像フォーマットにそれぞれ対応する表示形式をユーザーが選択設定可能であることを特徴とする映像再生装置。
【発明の詳細な説明】
【技術分野】
【０００１】
本発明は、デジタルカメラやビデオカメラなどのように、記録した、あるいは記録された映像を再生する映像再生装置に係り、特に、ユーザーが再生するデータを選択する際などに用いるファイル（コンテンツ）確認・選択用の画面として、個々のファイルに応じた縮小画像（サムネイル画像）などの映像データ管理情報を表示するための、単位表示情報を複数並べて表示する（サムネイル画面などを表示する）機能を備えた映像再生装置における、サムネイル画面などの表示形式の好適切り替え表示にかかわる技術に関するものである。
【背景技術】
【０００２】
近年、エレクトロニクス技術の発達により、様々な小型の映像再生装置が出回るようになっている。例えば、デジタルカメラ、デジタルビデオカメラ、カメラを内蔵した携帯電話機などの映像記録再生装置や、撮影機能は備えていないが出先で気軽に記録された映像を楽しむことが可能な映像再生装置である。
【０００３】
これらの装置は、ハードディスクや光ディスクやテープ、あるいは半導体メモリなどの記録媒体に符号化して記録されたデジタル映像データを読み出して復号化することによって得た映像信号を、内蔵しているＬＣＤ（Liquid Crystal Display）のような表示装置上で再生する機能を備えている。また、それらの装置の中には、外部出力端子を備えており、例えばテレビ受像機に代表される外部表示装置での映像再生が可能なものもある。
【０００４】
また、これらの装置は、記録されている映像データをファイル化し、撮影日時やタイトル、あるいは映像データの縮小画像などの管理情報を並べて表示装置上に表示し、ユーザーがそれら管理情報を見ながら、簡単に目的のファイルを選択することを可能とする操作系（ユーザー操作インターフェース）を備えている場合が多い。この操作を行なっているときの縮小画像を並べた表示画面は、サムネイル画面と呼ばれている。
【０００５】
このサムネイル画面では所定数の縮小画像を並べており、検索性からいうと縮小画像の数は多い方がよいが、デジタルカメラなどの内蔵表示装置は小型のため、並べられる縮小画像の数が制限されている。一方、外部出力端子を備えている場合には、大画面の表示装置に接続して表示できるので、縮小画像の数を多くしたいという要求がある。そのため、外部表示装置に接続する場合には、縮小画像の数を切り替え制御できる映像再生装置が求められるようになっている。
【０００６】
このような映像再生装置における従来技術としては、外部表示装置に接続されているか否かを検出し、接続されていない場合には、表示させる文字を表現する画素数を多くし、また、表示画面寸法比で比較的大きく構成した縮小画像を少ない数で表示し、反対に接続されている場合には、文字を表現する画素数を少なくし、また、表示画面寸法比で比較的小さく構成した縮小画像を多い数で表示するようにして、小画面の内蔵表示装置でも大画面の外部のテレビ受像機でも、表示能力に応じて、ともに見やすいファイル確認・選択用の画面を実現するようにした技術が知られている（特許文献１参照）。
【特許文献１】特開２００１−１６５４５号公報
【発明の開示】
【発明が解決しようとする課題】
【０００７】
ところで、近年、テレビ受像機などの外部表示装置は、画面サイズが多種多様なものが製品化されており、さらに、テレビ受像機などに備えられる接続端子も、多種多様になってきている。例えば、従来からあるＡＶ端子に加え、高画質を目指したＳ端子（Ｙ／Ｃ分離（Separate）映像信号端子）、Ｄ端子（デジタル映像信号用端子）などが備えられてきている。ここで、高画質を狙ったテレビ受像機では、一般的には、比較的に大きな画面サイズをもち、かつ、Ｓ端子またはＤ端子を備えていることが多い。
【０００８】
一方また、近時は、ユーザーが複数台のテレビ受像機を持っていることが多く、映像再生装置も、それに合わせて複数の外部出力端子を設けるようになってきている。このような場合、映像再生装置に接続する外部表示装置の種類に応じて、それぞれに最適なサムネイル画面が違うことになる。すなわち、大画面の表示装置の場合には、サムネイル画面中の縮小画像（サムネイル画像）の数を多くした方が、検索性の点で便利である。
【０００９】
前記した特許文献１に記載の技術では、内蔵表示装置での縮小画像の表示形態と、外部表示装置での縮小画像の表示形態とを変えることで、両者でともに見やすい縮小画像の表示切り替えを実現するが、この特許文献１に記載の技術では、映像再生装置に接続される外部表示装置の種類に応じて、この種類毎にそれぞれ好適な縮小画像の表示形態を実現することに関しては、考慮が払われていない。従って、例えば１５インチのブラウン管テレビ受像機に出力する場合に好適になるように、縮小画像の表示形態を調整しておくと、４２インチのハイビジョンテレビ受像機に出力する場合も、縮小画像の数が同一の表示になってしまい、好適な縮小画像の表示形態が得られないという問題があった。もし、４２インチのハイビジョンテレビ受像機でも好適な縮小画像の表示形態を得ようとした場合、４２インチ用に縮小画像の表示形態を設定しなおす必要があり、使い勝手が悪いという問題がある。特に、両者を混在して使用する場合には、接続するたびに設定しなおさなければならないため、非常に面倒である。
【００１０】
また、複数の映像フォーマットを扱う映像再生装置も現れてきており、高画質の映像フォーマットの映像の場合には、高画質の外部表示装置に表示させることが行なわれている。ハイビジョンフォーマットのように高画質フォーマットの場合は、これを表示できる外部表示装置は高精細、大画面となり、細かな表示も識別可能となる。このため、高画質フォーマットの場合には、サムネイル画面中の縮小画像の数を多くした方が、検索性の点で便利である。
【００１１】
しかしながら、前記した特許文献１に記載の技術では、映像フォーマットを検出することに関しては、考慮が払われていない。従って、通常画質で好適になるように縮小画像の表示形態を調整しておくと、高画質で出力する場合も、縮小画像の数が同一の表示になってしまい、好適な縮小画像の表示形態が得られないという問題があった。
【００１２】
本発明の目的は、内蔵表示装置および／または外部表示装置に表示する、ユーザーが再生するデータを選択する際などに用いるファイル確認・選択用の画面として、個々のファイルに応じた縮小画像（サムネイル画像）などの映像データ管理情報を表示するための、単位表示情報を複数並べて表示する（サムネイル画面などを表示する）機能を備えた映像再生装置において、複数の外部出力端子のうちのどの端子に外部表示装置が接続されたかを検出し、検出結果に応じてサムネイル画面などのファイル確認・選択用の画面の表示形式を自動的に変えることにより、上記問題を解決し、接続する外部出力端子の種類に応じて、この種類毎にそれぞれ応じた好適な表示形式で、自動的に、ファイル確認・選択用の画面を表示することで、ユーザーにとって使い勝手に優れた映像再生装置を提供することにある。
【００１３】
また、本発明の目的は、複数の映像フォーマットを扱う機能を備えた映像再生装置において、映像フォーマットの種別に応じて、外部表示装置で表示するファイル確認・選択用の画面としてのサムネイル画面などの表示形式を自動的に変えることによって、ユーザーにとって使い勝手に優れた映像再生装置を提供することにある。
【課題を解決するための手段】
【００１４】
本発明は、上記した目的を達成するため、記録媒体から再生した映像信号および／または管理情報表示信号を内蔵表示装置および／または外部表示装置に出力するための映像処理手段と、前記外部表示装置に出力するための２つ以上の外部出力手段と、前記記録媒体に記録されている映像データの管理情報を所定の表示形式の前記管理情報表示信号として前記映像処理手段に生成させるための管理情報表示選択手段とを、備えた映像再生装置において、
前記２つ以上の外部出力手段のそれぞれについて接続検出手段を設け、
前記管理情報表示選択手段は、前記した所定の表示形式として複数の表示形式を備えており、前記接続検出手段の検出結果に応じて、前記管理情報の表示形式を前記複数の表示形式の中から選択する。
【００１５】
また、本発明は、上記した目的を達成するため、記録媒体から再生した映像信号および／または管理情報表示信号を内蔵表示装置および／または外部表示装置に出力するための２種類以上の映像フォーマットを扱う映像処理手段と、前記記録媒体に記録されている映像データの管理情報を所定の表示形式の前記管理情報表示信号として前記映像処理手段に生成させるための管理情報表示選択手段とを、備えた映像再生装置において、
外部出力手段から出力する映像信号の映像フォーマットを検出するとともに、前記外部出力手段の接続を検出するための出力フォーマット検出手段を設け、
前記管理情報表示選択制御手段は、前記した所定の表示形式として複数の表示形式を備えており、前記出力フォーマット検出手段にて検出された接続状態および前記映像フォーマットに応じて、前記管理情報の表示形式を前記複数の表示形式の中から選択する。
【発明の効果】
【００１６】
本発明によれば、ユーザーが再生するデータを選択する際などに用いるファイル確認・選択用の画面として、個々のファイルに応じた縮小画像（サムネイル画像）などの映像データ管理情報を表示するための、単位表示情報を複数並べて表示する（サムネイル画面などを表示する）機能を備えた映像再生装置において、複数の外部出力端子のうちのどの端子に外部表示装置が接続されたかを検出し、検出結果に応じてサムネイル画面などのファイル確認・選択用の画面の表示形式を自動的に変えるので、接続する外部出力端子の種類に応じて、この種類毎にそれぞれ応じた好適な表示形式で、自動的に、ファイル確認・選択用の画面が表示され、ユーザーにとって使い勝手に優れたものとすることができる。
【００１７】
また、複数の映像フォーマットをサポートしている場合にも、映像フォーマットのそれぞれに応じた好適な表示形式で、自動的に、サムネイル画面などのファイル確認・選択用の画面を表示するので、ユーザーにとって使い勝手に優れたものとすることができる。
【発明を実施するための最良の形態】
【００１８】
以下、本発明の実施の形態を、図面を用いて説明する。
【００１９】
＜第１実施形態＞
まず、本発明の第１実施形態に係る映像再生装置を、図１〜図４、図６、図７を用いて説明する。本第１実施形態の映像再生装置は、デジタルビデオカメラへの適用例であり、図１は、本第１実施形態のデジタルビデオカメラの要部構成を示すブロック図である。また、図２は、本第１実施形態のデジタルビデオカメラの内蔵表示手段でのサムネイル画面の表示例を示す図、図３は、本第１実施形態のデジタルビデオカメラに接続される外部表示装置の一例であるブラウン管テレビ受像機でのサムネイル画面の表示例を示す図、図４は、本第１実施形態のデジタルビデオカメラに接続される外部表示装置の他の一例である４２インチ程度のハイビジョンプラズマテレビ受像機でのサムネイル画面の表示例を示す図である。また、図６は、本第１実施形態のデジタルビデオカメラで用いる、内蔵表示装置用および外部出力手段用のサムネイル画面の配置フォーマットを設定するための設定テーブルを示す図、図７は、本第１実施形態のデジタルビデオカメラで用いることが可能な、サムネイル画面の各配置フォーマットと、各配置フォーマットにおける縦横のサムネイル画像（縮小画像）の数との関係を表すテーブル（一覧表）を示す図である。
【００２０】
図１において、１は撮像手段、２は記録媒体、３は符号化復号化手段、４は映像処理手段、５はシステム制御手段、６はサムネイル画面選択手段、７は内蔵表示手段、８は外部出力手段「Ａ」、９は接続検出手段「Ａ」、１０は外部出力手段「Ｂ」、１１は接続検出手段「Ｂ」である。
【００２１】
まず、記録時の動作について説明する。撮像手段１は、レンズやＣＣＤ（Charge Coupled Device）センサ、Ａ／Ｄ変換器などから構成されており、システム制御手段５からの制御によって、撮像した映像（光信号）を電気信号に変換し、映像処理手段４に入力する。なお、図示しないが、マイクロフォンで集音して生成した音声信号も、同様に処理される。映像処理手段４に入力された電気信号は、符号化復号化手段３によって符号化してＭＰＥＧ（Moving Picture Experts Group）２などの映像データとし、記録媒体２に記録する。記録媒体２は、ＨＤＤ（ハードディスクドライブ）や光ディスクや半導体メモリなどで実現する。内蔵表示手段７に対しては、映像処理手段４から映像信号を供給する構成としている。内蔵表示手段７としては、ここでは、２．５インチのＬＣＤモニタを採用している。
【００２２】
次に、再生時の動作について説明する。再生時には、記録媒体２に記録されたＭＰＥＧ２などの映像データを、符号化復号化手段３において復号化し、映像処理手段４において映像信号に変換して、内蔵表示手段７、外部出力手段「Ａ」８、外部出力手段「Ｂ」１０にそれぞれ供給する。なお、本第１実施形態においては、外部出力手段「Ａ」８はＳ端子とし、外部出力手段「Ｂ」１０はＡＶ端子として構成してある。
【００２３】
上記した記録および再生時の動作は、システム制御手段５が各手段を総合的に制御することで実行される。
【００２４】
本第１実施形態では、外部出力手段「Ａ」８および外部出力手段「Ｂ」１０には、ユーザーが外部表示装置を利用するために、本第１実施形態のデジタルビデオカメラをテレビ受像機などの外部表示装置に接続しているかどうかを検出する手段として、各外部出力手段８、１０にそれぞれ対応して接続検出手段「Ａ」９および接続検出手段「Ｂ」１１を設けてある。これらの接続検出手段９、１１では、ユーザーが外部表示装置を利用しているかどうかの検出を、機械的なスイッチを用いて各端子にケーブルが接続されているかいないかを検出する方法や、各端子の電流の流れ具合を電気回路で検出する方法などで、実現するようになっている。
【００２５】
ここで、システム制御手段５は、記録媒体２に記録されている映像データをファイル化して管理化するためのファイル管理情報（管理項目）を、図示せぬメモリや記録媒体２の適宜エリアに格納して管理しており、システム制御手段５は、このファイル管理情報を用いて、ユーザーが再生するデータを選択する際などに用いるファイル確認・選択用の画面表示のための表示信号の生成を、映像処理手段４に実行させる制御処理も実行する。ここでは、ファイル確認・選択用の画面として、個々のファイルに応じた縮小画像（サムネイル画像）を複数並べて表示するサムネイル画面の例で以下の説明を行うが、サムネイル画面以外の、個々のファイルに応じた映像データ管理情報（例えば、撮影日時やタイトルなど）を表示するための、単位表示情報を複数並べて表示するファイル確認・選択用の画面にも、本発明は適用可能である。
【００２６】
本第１実施形態のデジタルビデオカメラにおいては、出力するサムネイル画面の配置フォーマットとして、表示先（内蔵表示手段７であるか、外部出力手段「Ａ」８に接続された外部表示装置であるか、外部出力手段「Ｂ」１０に接続された外部表示装置であるか）に応じて、複数種類のサムネイル画面の配置フォーマットを、例えばシステム制御手段５がもつ図示せぬメモリの適宜エリアに設けた設定テーブルに予め設定するようにしてある。そして、システム制御手段５の内部に設けられたサムネイル画面選択手段６によって、表示先に応じてサムネイル画面の配置フォーマットを選択できるようになっている。なお、サムネイル画面の配置フォーマットとは、１画面内（１枚のサムネイル画面内）にどのようにサムネイル画像（縮小画像）を並べるかという意味であり、ここでは、縦にいくつ、横にいくつサムネイル画像を並べて表示するかという例で説明する。
【００２７】
図７は、本第１実施形態のデジタルビデオカメラで用いることが可能な、具体的なサムネイル画面の配置フォーマットの例を示している。図７に示すように、縦方向のサムネイル画像の表示数は２個から５個まで、また、横方向のサムネイル画像の表示数は２個から６個までサポートしており、これらは、図示せぬメモリの適宜エリアに格納されている。図７のテーブル（一覧表）内のカッコつきの数字は、各サムネイル画面の配置フォーマットの呼出し番号である。たとえば、（８）は、縦に５個のサムネイル画像を、横に３個のサムネイル画像を配置する、サムネイル画面の配置フォーマットを示している。
【００２８】
また、本第１実施形態においては、先に述べたように、表示先に応じたサムネイル画面の配置フォーマットを記憶・設定するための設定テーブルを持たせてあり、図６がその設定テーブルの例を表している。ここでは、初期設定値として、内蔵表示手段７用のサムネイル画面の配置フォーマットは（５）、外部出力手段「Ａ」８用は（１９）、外部出力手段「Ｂ」１０用は（１０）が、それぞれ記憶されている。
【００２９】
図２は、本第１実施形態のデジタルビデオカメラにおいて、外部表示装置を外部出力手段に接続せず、内蔵表示手段７のみにサムネイル画面を表示しているときの様子を示す図である。ここでは、デジタルビデオカメラ本体１４からＬＣＤパネル部２０を引き起こした状態を示しており、ＬＣＤパネル部２０とデジタルビデオカメラ本体１４とは、ＬＣＤパネル部取り付けヒンジ２７で接続されている。また、ＬＣＤパネル部２０には、２．５インチのＬＣＤモニタ１３が取り付けられている。
【００３０】
本第１実施形態では、外部出力手段の接続がないときのＬＣＤモニタ１３（内蔵表示手段７）で表示するサムネイル画面の配置フォーマットは、図６に示したテーブル中の内蔵主表示装置用のサムネイル画面の配置フォーマット（５）、すなわち、縦に２個のサムネイル画像、横に３個のサムネイル画像を配置する配置フォーマットが選択されるようになっている。そして、デジタルビデオカメラをユーザーが操作して、サムネイル画面の表示を指示すると、サムネイル画面選択手段６は、縦に２個、横に３個のサムネイル画像（縮小画像）１２を配置したサムネイル画面を映像処理手段４に対して生成させ、これをＬＣＤモニタ１３に表示させる。１画面に表示するサムネイル画像１２の数を増やせば増やすほど、ユーザーが一度に確認できるファイル数が増えるので、検索性すなわち使い勝手が向上するが、逆に１つのサムネイル画像１２の大きさが小さくなり見えづらくなってしまう。そこで、これらを考慮し、ＬＣＤモニタ１３のみでのサムネイル画面の表示では、縦に２個、横に３個のサムネイル画像（縮小画像）を配置する配置フォーマット（５）を、初期設定値としてある。
【００３１】
図３は、外部出力手段「Ｂ」１０にブラウン管テレビ受像機１５を接続して鑑賞する場合において、ブラウン管テレビ受像機１５の表示部１６上にサムネイル画面を表示しているときの様子を示す図である。このとき、ブラウン管テレビ受像機１５への映像信号の供給は、デジタルビデオカメラの外部出力手段「Ｂ」１０、すなわち、ＡＶ端子から行なわれている。
【００３２】
外部出力手段「Ｂ」１０にブラウン管テレビ受像機１５が接続されると、システム制御手段５の内部に設けられたサムネイル画面選択手段６は、接続検出手段「Ｂ」１１からの「接続検出有り」の信号を受け取り、図６のテーブル中に予め設定されている外部出力手段「Ｂ」用のサムネイル画面の配置フォーマット（１０）、すなわち、縦に３個のサムネイル画像、横に４個のサムネイル画像を配置する配置フォーマットを選択する。そして、デジタルビデオカメラをユーザーが操作して、サムネイル画面の表示を指示すると、サムネイル画面選択手段６は、縦に３個、横に４個のサムネイル画像（縮小画像）１２を配置したサムネイル画面を映像処理手段４に対して生成させ、このサムネイル画面用の映像信号が、外部出力手段「Ｂ」１０からブラウン管テレビ受像機１５に供給される。これにより、ブラウン管テレビ受像機１５の表示部１６には、縦に３個、横に４個のサムネイル画像（縮小画像）１２を配置した、ブラウン管テレビ受像機１５の表示能力に応じた、見易くかつ検索性のよい、つまり、使い勝手の良いサムネイル画面が自動的に表示される。
【００３３】
なお、接続検出手段「Ｂ」１１からの「接続検出有り」の信号を受け取ってブラウン管テレビ受像機１５に表示している間は、ＬＣＤモニタ１３の表示を停止させるか、もしくは、ブラウン管テレビ受像機１５に表示しているのと同じ画面をＬＣＤモニタ１３にも表示させることで、表示用の回路を１系統で済ませることが可能となる。
【００３４】
図４は、外部出力手段「Ａ」８にハイビジョンプラズマテレビ受像機１７を接続して鑑賞する場合において、ハイビジョンプラズマテレビ受像機１７の表示部１８上にサムネイル画面を表示しているときの様子を示す図である。このとき、ハイビジョンプラズマテレビ受像機１７への映像信号の供給は、デジタルビデオカメラの外部出力手段「Ａ」８、すなわち、Ｓ端子から行なわれている。
【００３５】
外部出力手段「Ａ」８にハイビジョンプラズマテレビ受像機１７が接続されると、システム制御手段５の内部に設けられたサムネイル画面選択手段６は、接続検出手段「Ａ」９からの「接続検出有り」の信号を受け取り、図６のテーブル中に予め設定されている外部出力手段「Ａ」用のサムネイル画面の配置フォーマット（１９）、すなわち、縦に４個のサムネイル画像、横に６個のサムネイル画像を配置する配置フォーマットを選択する。そして、デジタルビデオカメラをユーザーが操作して、サムネイル画面の表示を指示すると、サムネイル画面選択手段６は、縦に４個、横に６個のサムネイル画像（縮小画像）１２を配置したサムネイル画面を映像処理手段４に対して生成させ、このサムネイル画面用の映像信号が、外部出力手段「Ａ」８からハイビジョンプラズマテレビ受像機１７に供給される。これにより、ハイビジョンプラズマテレビ受像機１７の表示部１８には、縦に４個、横に６個のサムネイル画像（縮小画像）１２を配置した、ハイビジョンプラズマテレビ受像機１７の表示能力に応じた、見易くかつ検索性のよい、つまり、使い勝手の良いサムネイル画面が自動的に表示される。
【００３６】
以上説明したように、本第１実施形態では、各外部出力手段の接続状態に対してそれぞれサムネイル画面の配置フォーマットを記憶するためのテーブルを設け、接続検出手段の検出結果をもとに、サムネイル画面の配置フォーマットを自動的に選択するためのサムネイル画面選択手段を設けたことによって、異なる外部表示装置に出力して表示する場合でも、自動的に使い勝手の良いサムネイル画面を得ることができる。
【００３７】
なお、外部出力手段「Ａ」８と外部出力手段「Ｂ」１０に同時にユーザーが接続した場合には、外部出力手段「Ａ」８を優先させ、サムネイル画像の数としては、縦４個、横６個の２４個を表示させる。無論、これは設計者が使い勝手を考慮して、逆にしても問題ない。
【００３８】
また、本第１実施形態においては、外部出力手段として、ＡＶ端子とＳ端子を例にとって説明したが、Ｄ端子やＩＥＥＥ１３９４端子などでも、同様に実施できることは言うまでも無い。また、各接続端子（外部出力手段）の特性上、ユーザーが接続するであろう外部表示装置の大きさや画面の細かさなどは、ある程度あらかじめ想定することが可能である。例えば、ＡＶ端子よりもＳ端子、Ｓ端子よりもＤ端子に接続される外部表示装置の方が、画面サイズが大きく、表示も細かいと予想できるため、設計者はそれを考慮して、選択するサムネイル画面の配置フォーマットを決定するのが良い。
【００３９】
また、ここまでの説明では、接続される外部出力手段に対応したサムネイル画面の配置フォーマットは予め設定してあるという前提で説明したが、ユーザーがサムネイル画面の配置フォーマットを選択・設定できるようにすることで、使い勝手がさらに向上する場合もある。例えば、Ｓ端子から出力する先が、ユーザーによっては、２１インチのブラウン管テレビ受像機の場合もあれば、３６インチのワイドテレビ受像機の場合もあるため、ユーザーの好みで、サムネイル画面の配置フォーマットを選べるようにしておいてもよい。具体例で説明すると、あるユーザーは、Ｓ端子（外部出力手段「Ａ」８）の出力を２１インチのブラウン管テレビ受像機に出力していて、初期値である縦に４個、横に６個のサムネイル画像（縮小画像）を配置する配置フォーマットでは、サムネイル画像の数が多すぎて見づらいので、Ｓ端子（外部出力手段「Ａ」８）用のサムネイル画像の配置フォーマットとして、配置フォーマット（１０）、すなわち、縦に３個、横に４個のサムネイル画像（縮小画像）を配置する配置フォーマットを選択・設定したとする。一旦、ユーザーが選択・設定すると、前記した図６の設定テーブルの外部出力端子「Ａ」８用のサムネイル画の配置フォーマットには、配置フォーマット（１０）が記憶され、次回使用時にもこの設定が有効となる。こうして、次回接続時からは、接続した外部出力手段に応じて、自動的に使い勝手の良いサムネイル画面をユーザーに提供することが可能となる。なお、配置フォーマットのユーザー設定は、ユーザーがデジタルビデオカメラを適宜に操作して、内蔵表示手段７にサムネイル画面の配置フォーマットの設定用画面を呼び出し、この設定用画面と対話式に設定を行うようにされる。
【００４０】
＜第２実施形態＞
次に、本発明の第２実施形態に係る映像再生装置を、図２〜図５、図８を用いて説明する（なお、図２〜図４は、先の第１実施形態と共用している）。本第２実施形態の映像再生装置は、ハイビジョンデジタルビデオカメラへの適用例であり、図５は、本第２実施形態のハイビジョンデジタルビデオカメラの要部構成を示すブロック図である。また、図２は、本第２実施形態のハイビジョンデジタルビデオカメラの内蔵表示手段でのサムネイル画面の表示例を示す図、図３は、本第２実施形態のハイビジョンデジタルビデオカメラに接続される外部表示装置の一例であるＤ１端子付きのブラウン管テレビ受像機でのサムネイル画面の表示例を示す図、図４は、本第２実施形態のハイビジョンデジタルビデオカメラに接続される外部表示装置の他の一例であるＤ４端子付きのハイビジョンプラズマテレビ受像機でのサムネイル画面の表示例を示す図である。また、図８は、本第２実施形態のハイビジョンデジタルビデオカメラで用いる、内蔵表示装置用および外部出力する各映像フォーマット用のサムネイル画面の配置フォーマットを設定するための設定テーブルを示す図である。
【００４１】
図５において、２１は撮像手段、２２は記録媒体、２３は符号化復号化手段、２４は映像処理手段、２５はシステム制御手段、２６はサムネイル画面選択手段、７は内蔵表示手段、２８は外部出力手段「Ｃ」、２９は出力フォーマット検出手段、３０は映像フォーマット選択手段である。
【００４２】
本第２実施形態では、前記した第１実施形態と異なり、外部の装置に映像信号を出力する手段としては、外部出力手段「Ｃ」２８のみを設けた構成となっているが、その代わりに、外部出力手段「Ｃ」２８から、複数の映像フォーマットの映像信号を出力することが可能なようになっている。また、外部出力手段「Ｃ」２８から出力する映像信号の映像フォーマットを検出するとともに、外部表示装置を利用するために、外部出力手段「Ｃ」２８に外部表示装置を接続しているかどうかを検出するための、出力フォーマット検出手段２９を備えている。
【００４３】
まず、記録時の動作について説明する。本第２実施形態では、撮像手段２１は、標準画質である４８０ｉ（有効走査線数４８０本のインタレース走査）撮影に加え、ハイビジョン画質である７２０ｐ（有効走査線数７２０本のプログレッシブ走査）撮影にも対応しており、ユーザーの指示に基づき、映像フォーマット選択手段３０によって、４８０ｉ撮影と７２０ｐ撮影とが選択できるようになっている。４８０ｉ撮影の記録は、前記した第１実施形態と同様に行われる。他方、７２０ｐ撮影の記録時には、映像処理手段２４に入力された電気信号は、符号化復号化手段２３によって符号化してＭＰＥＧ２などの映像データとし、記録媒体２２にハイビジョン画質で記録する。内蔵表示手段７に対しては、映像処理手段２４内で映像フォーマット変換処理を行い、７２０ｐから４８０ｉに変換処理した映像信号を供給する構成としてある。こうする所以は、内蔵表示手段７は、２．５インチのＬＣＤモニタを採用していて、４８０ｉの映像信号のみを受け付けるためである。
【００４４】
次に、再生時の動作について説明する。４８０ｉ撮影で記録媒体２２に記録された映像データの再生は、前記した第１実施形態と同様に行われ、再生処理で得られた映像信号は、内蔵表示手段７、外部出力手段「Ｃ」２８に供給される。他方、７２０ｐ撮影で記録された映像データの再生は、記録媒体２２に記録されたハイビジョン画質のＭＰＥＧ２などの映像データを、符号化復号化手段２３において復号化し、映像処理手段２４において映像信号に変換して、この映像信号は内蔵表示手段７、外部出力手段「Ｃ」２８に供給される。ここで、記録時と同様に、内蔵表示手段７に供給する映像信号は、４８０ｉである。
【００４５】
外部出力手段「Ｃ」２８は、ここでは、Ｄ端子中のＤ４端子に相当するもので構成されており、外部出力手段「Ｃ」２８を介して外部に出力する映像信号の映像フォーマットは、公知のように４種類の映像フォーマット、すなわち、Ｄ１信号（４８０ｉ）、Ｄ２信号（４８０ｐ）、Ｄ３信号（１０８０ｉ）、Ｄ４信号（７２０ｐ）の各出力に対応している。
【００４６】
上記した記録および再生時の動作は、第１実施形態と同様に、システム制御手段２５が各手段を総合的に制御することで実行される。
【００４７】
本第２実施形態では、先にも述べたように、外部出力手段「Ｃ」２８には、ユーザーが外部表示装置を利用するために、本第２実施形態のハイビジョンデジタルビデオカメラをテレビ受像機などの外部表示装置に接続しているかどうかを検出し、さらに、外部出力手段「Ｃ」２８から出力している映像信号の映像フォーマットが何であるかを検出するための、出力フォーマット検出手段２９を設けてある。
【００４８】
システム制御手段２５では、第１実施形態と同様に、サムネイル画の生成や、記録、再生、表示などを行なうための制御処理を実行する。前記した第１実施形態では、複数の外部出力手段にそれぞれ対応してサムネイル画面の配置フォーマットを記憶・設定する設定テーブルを持たせていたが、本第２実施形態では、サポートする４種類の映像フォーマット（Ｄ１〜Ｄ４信号）にそれぞれ対応して、サムネイル画面の配置フォーマットを記憶・設定する設定テーブルを持たせてある。すなわち、出力する映像フォーマットに応じてサムネイル画面の配置フォーマットを選択させるために、図８に示すように、内蔵表示手段７用、Ｄ１〜Ｄ４信号用のサムネイル画面の配置フォーマットを設定テーブルに保持させてある。ここでは、初期設定値として、内蔵表示装置７用のサムネイル画の配置フォーマットは（５）、同様にＤ１信号用は（１０）、Ｄ２信号用は（１０）、Ｄ３信号用は（１９）、Ｄ４信号用は（１９）が記憶されている。なお、各配置フォーマットのカッコ付きの数字は、前記した図７のテーブルに示した配置フォーマットに対応している。
【００４９】
図２は、本第２実施形態のハイビジョンデジタルビデオカメラにおいて、外部表示装置を外部出力手段に接続せず、内蔵表示手段７のみにサムネイル画面を表示しているときの様子を示す図である。内蔵表示手段７に供給する映像信号は４８０ｉで、第１実施形態と同等であり、図２に示したＬＣＤモニタ１３（内蔵表示手段７）で表示するサムネイル画面の配置フォーマットは（５）であるので、ＬＣＤモニタ１３上には、縦に２個、横に３個のサムネイル画像（縮小画像）が配置されたサムネイル画面が表示される。
【００５０】
図３は、ユーザーが本第２実施形態のハイビジョンデジタルビデオカメラの外部出力手段「Ｃ」２８にＤ１端子付きのブラウン管テレビ受像機１５に接続し、本第２実施形態のハイビジョンデジタルビデオカメラで撮影した映像をブラウン管テレビ受像機１５で鑑賞する場合において、ブラウン管テレビ受像機１５の表示部１６上にサムネイル画面を表示しているときの様子を示す図である。このとき、ブラウン管テレビ１５への映像信号の供給は、ハイビジョンデジタルビデオカメラの外部出力手段「Ｃ」２８、すなわち、Ｄ端子から行なわれている。この場合、Ｄ端子から出力する映像信号は、ユーザーが映像フォーマット選択手段３０で選択したＤ１信号（４８０ｉ）になっているとする。映像フォーマット選択手段３０は、選択スイッチをハードウェアで実現しても良いし、メニュー画面から選択するようなソフトウェアで実現しても良い。
【００５１】
システム制御手段２５の内部に設けられたサムネイル画面選択手段２６は、出力フォーマット検出手段２９からの「接続検出有り」の信号を受け取ると、該出力フォーマット検出手段２９からの映像フォーマットの種別（ここではＤ１信号）を示す信号に応じて、図８に示した設定テーブル中に予め設定されているＤ１信号用のサムネイル画面の配置フォーマット（１０）、すなわち、縦に３個のサムネイル画像、横に４個のサムネイル画像を配置する配置フォーマットを選択する。そして、ハイビジョンデジタルビデオカメラをユーザーが操作して、サムネイル画面の表示を指示すると、サムネイル画面選択手段２６は、縦に３個、横に４個のサムネイル画像（縮小画像）１２を配置したサムネイル画面を映像処理手段２４に対して生成させ、このサムネイル画面用の映像信号が、外部出力手段「Ｃ」２８からブラウン管テレビ受像機１５に供給される。これにより、ブラウン管テレビ受像機１５の表示部１６には、縦に３個、横に４個のサムネイル画像（縮小画像）１２を配置した、ブラウン管テレビ受像機１５の表示能力に応じた、見易くかつ検索性のよい、つまり、使い勝手の良いサムネイル画面が自動的に表示される。
【００５２】
図４は、ユーザーが本第２実施形態のハイビジョンデジタルビデオカメラの外部出力手段「Ｃ」２８にＤ４端子付きのハイビジョンプラズマテレビ受像機１７に接続し、本第２実施形態のハイビジョンデジタルビデオカメラで撮影した映像をハイビジョンプラズマテレビ受像機１７で鑑賞する場合において、ハイビジョンプラズマテレビ受像機１７の表示部１８上にサムネイル画面を表示しているときの様子を示す図である。このとき、ハイビジョンプラズマテレビ受像機１７への映像信号の供給は、ハイビジョンデジタルビデオカメラの外部出力手段「Ｃ」２８、すなわち、Ｄ端子から行なわれている。この場合、Ｄ端子から出力する映像信号は、ユーザーが映像フォーマット選択手段３０で選択したＤ４信号（７２０ｐ）になっているとする。
【００５３】
システム制御手段２５の内部に設けられたサムネイル画面選択手段２６は、出力フォーマット検出手段２９からの「接続検出有り」の信号を受け取ると、該出力フォーマット検出手段２９からの映像フォーマットの種別（ここではＤ４信号）を示す信号に応じて、図８に示した設定テーブル中に予め設定されているＤ４信号用のサムネイル画面の配置フォーマット（１９）、すなわち、縦に４個のサムネイル画像、横に６個のサムネイル画像を配置する配置フォーマットを選択する。そして、ハイビジョンデジタルビデオカメラをユーザーが操作して、サムネイル画面の表示を指示すると、サムネイル画面選択手段２６は、縦に４個、横に６個のサムネイル画像（縮小画像）１２を配置したサムネイル画面を映像処理手段２４に対して生成させ、このサムネイル画面用の映像信号が、外部出力手段「Ｃ」２８からハイビジョンプラズマテレビ受像機１７に供給される。これにより、ハイビジョンプラズマテレビ受像機１７の表示部１８には、縦に４個、横に６個のサムネイル画像（縮小画像）１２を配置した、ハイビジョンプラズマテレビ受像機１７の表示能力に応じた、見易くかつ検索性のよい、つまり、使い勝手の良いサムネイル画面が自動的に表示される。
【００５４】
このように本第２実施形態では、前記した第１実施形態のように、外部出力手段の違いからサムネイル画面の配置フォーマットを選択するのではなく、出力する映像フォーマットの種類の検出と、外部出力手段に対する接続有りの検出をもとに、サムネイル画面の配置フォーマットを自動的に選択する。
【００５５】
以上説明したように、本第２実施形態では、外部出力手段に対する接続を検出し、かつ、出力する映像フォーマットの種別を検出するための出力フォーマット検出手段を設け、出力フォーマット検出手段の検出結果をもとに、サムネイル画面の配置フォーマットを決定するためのサムネイル画面選択手段を設けたことによって、異なる映像フォーマットで外部表示装置に出力して表示する場合でも、自動的に使い勝手の良いサムネイル画面を得ることができる。
【００５６】
なお、本第２実施形態においては、外部出力手段として、Ｄ端子を例にとって説明したが、Ｄ端子のみに限定されず、他のどのような端子においても、同様に実施できることは言うまでも無い。
【００５７】
また、本第２実施形態においても、前記した第１実施形態と同様に、ユーザーが選択する映像フォーマットに対応して設定されるサムネイル画面の配置フォーマットを、ユーザー自身が選択して設定できるようにすることで、使い勝手がさらに向上する場合もある。例えば、Ｄ端子からＤ４信号を出力して表示する外部表示装置が、３２インチのプラズマハイビジョンテレビ受像機の場合もあれば、５０インチのプラズマハイビジョンテレビ受像機の場合もあるため、ユーザーの好みでサムネイル画面の配置フォーマットを選べるようにしておけば、ユーザーにとってより好適なサムネイル画面が得られるためである。一旦選択すると、次回接続時には、選択・設定したサムネイル画面の配置フォーマットに応じて、自動的に使い勝手の良いサムネイル画面をユーザーに提供することが可能となる。
【００５８】
＜第３実施形態＞
次に、本発明の第３実施形態に係る映像再生装置を、図９、図１０を用いて説明する。本第３実施形態の映像再生装置は、ハイビジョンデジタルビデオカメラへの適用例であり、図１０は、本第３実施形態のハイビジョンデジタルビデオカメラの要部構成を示すブロック図である。また、図９は、本第３実施形態のハイビジョンデジタルビデオカメラで用いる、内蔵表示装置用、およびＤ端子から外部出力する各映像フォーマット用、およびＡＶ端子用のサムネイル画面の配置フォーマットを設定するための設定テーブルを示す図である。
【００５９】
本第３実施形態は、前記した第２実施形態の応用例となっており、図１０において、図５の第２実施形態と同一の構成要素には、同一符号を付してある。本第３実施形態では、第２実施形態の構成に、前記した第１実施形態の構成中の外部出力手段「Ｂ」１０、接続検出手段「Ｂ」１１を、付加したものなっている。ここでは、先と同様に、外部出力手段「Ｂ」１０はＡＶ端子であるとし、該ＡＶ端子からはＤ１信号のみが出力可能であるものとしている。
【００６０】
本第３実施形態の場合には、図９に示すような設定テーブルを持つことで、自動的に使い勝手のよいサムネイル画面をユーザーに提供することが可能となる。設定テーブルに設定する初期設定値としては、内蔵表示装置７用のサムネイル画面の配置フォーマットは（５）が記憶されており、同様に、外部出力手段「Ｃ」２８へ出力するときのＤ１信号用は（１０）、Ｄ２信号用は（１０）、Ｄ３信号用は（１９）、Ｄ４信号用は（１９）が記憶されている。また、外部出力手段「Ｂ」１０が接続されたときに用いる、外部出力手段「Ｂ」１０用としては、映像フォーマットに関係なく配置フォーマット（１０）が記憶されている。なお、各配置フォーマットのカッコ付きの数字は、前記した図７のテーブルに示した配置フォーマットに対応している。
【図面の簡単な説明】
【００６１】
【図１】本発明の第１実施形態に係る映像再生装置（デジタルビデオカメラ）の要部構成を示すブロック図である。
【図２】本発明の実施形態の映像再生装置がもつ内蔵表示手段での、サムネイル画面の表示例を示す説明図である。
【図３】本発明の実施形態の映像再生装置に接続される外部表示装置の一例であるブラウン管テレビ受像機での、サムネイル画面の表示例を示す説明図である。
【図４】本発明の実施形態の映像再生装置に接続される外部表示装置の他の一例であるハイビジョンプラズマテレビ受像機での、サムネイル画面の表示例を示す説明図である。
【図５】本発明の第２実施形態に係る映像再生装置（ハイビジョンデジタルビデオカメラ）の要部構成を示すブロック図である。
【図６】本発明の第１実施形態の映像再生装置で用いる、サムネイル画面の配置フォーマットを設定するため設定テーブルの例を示す説明図である。
【図７】本発明の実施形態の映像再生装置がもつ設定テーブルに設定可能な、サムネイル画面の配置フォーマットの具体例を示す説明図である。
【図８】本発明の第２実施形態の映像再生装置で用いる、サムネイル画面の配置フォーマットを設定するため設定テーブルの例を示す説明図である。
【図９】本発明の第３実施形態の映像再生装置で用いる、サムネイル画面の配置フォーマットを設定するため設定テーブルの例を示す説明図である。
【図１０】本発明の第３実施形態に係る映像再生装置（ハイビジョンデジタルビデオカメラ）の要部構成を示すブロック図である。
【符号の説明】
【００６２】
１、２１  撮像手段
２、２２  記録媒体
３、２３  符号化復号化手段
４、２４  映像処理手段
５、２５  システム制御手段
６、２６  サムネイル画面選択手段
７  内蔵表示手段
８  外部出力手段「Ａ」
９  接続検出手段「Ａ」
１０  外部出力手段「Ｂ」
１１  接続検出手段「Ｂ」
１２  サムネイル画像（縮小画像）
１３  ＬＣＤモニタ
１４  デジタルビデオカメラの本体
１５  ブラウン管テレビ受像機
１６  表示部
１７  ハイビジョンプラズマテレビ受像機
１８  表示部
２７  ＬＣＤパネル部取り付けヒンジ
２８  外部出力手段「Ｃ」
２９  出力フォーマット検出手段
３０  映像フォーマット選択手段
【図１】
2005311776.tif 000003
【図２】
2005311776.tif 000004
【図３】
2005311776.tif 000005
【図４】
2005311776.tif 000006
【図５】
2005311776.tif 000007
【図６】
2005311776.tif 000008
【図７】
2005311776.tif 000009
【図８】
2005311776.tif 000010
【図９】
2005311776.tif 000011
【図１０】
2005311776.tif 000012